(57)【要約】【課題】空気が汚れた場所でプロジェクタを使用するに際しての各種の不都合を解消できるプロジェクタ用防塵ユニットおよびプロジェクタを提供する。【解決手段】空気を内部に取り入れるための吸気口８２ａと排出するための排気口８１ａとを有し、排気口８１ａがロアーケース４に設けられた空気取入口７１に対応する位置に形成されたユニットケース８３を有し、このユニットケース８３内に、空気を吸気口８２ａからユニットケース８３内に吸気し、排気口８１ａから排気して、その排気空気をロアーケース４に設けられた空気取入口７１に供給するためのファン８５と、ファン８５により吸引された空気から塵埃等を除去するための少なくとも１個以上の第２のフィルター８４とを収納されてなり、ユニットケース８３が、ロアーケース４に着脱自在に構成されてなるものである。【選択図】        図５
2004170745.tif 000002
【特許請求の範囲】
【請求項１】
外部の空気を外装ケースの内部に取り入れる空気取入口に第１のフィルターが設けられたプロジェクタ用として用いられ、前記第１のフィルターの外側から前記空気取入口を覆うように装着される防塵ユニットであって、
空気を内部に取り入れるための吸気口と排出するための排気口とを有し、該排気口が前記空気取入口に対応する位置に形成された前記ユニットケースと、
該ユニットケース内に収納され、空気を前記吸気口から前記ユニットケース内に吸気し、前記排気口から排気して、その排気空気を前記空気取入口に供給するためのファンと、
前記ユニットケース内に収納され、前記ファンにより吸引された空気から塵埃を除去するための少なくとも１個以上の第２のフィルターとを備え、
前記ユニットケースが、前記外装ケースに着脱自在に構成されてなることを特徴とするプロジェクタ用防塵ユニット。
【請求項２】
前記ユニットケースは、前記第２のフィルターを着脱自在に収納してなることを特徴とする請求項１記載のプロジェクタ用防塵ユニット。
【請求項３】
外部の空気を外装ケースの内部に取り入れる空気取入口に第１のフィルターが設けられたプロジェクタ用として用いられ、前記第１のフィルターの外側から前記空気取入口を覆うように装着される防塵ユニットであって、
空気を内部に取り入れるための吸気口と排出するための排気口とを有し、該排気口が前記空気取入口に対応する位置に形成された前記ユニットケースと、
該ユニットケース内に収納され、空気を前記吸気口から前記ユニットケース内に吸気し、前記排気口から排気して、その排気空気を前記空気取入口に供給するためのファンと、
前記ユニットケース内に収納され、前記ファンにより吸引された空気から塵埃を除去するための第２のフィルターと、
前記ユニットケース内に収納され、前記第２のフィルターを通過した空気から更に塵埃等を除去するための前記第２のフィルターよりも目の細かい第３のフィルターとを備え、
前記ユニットケースが、前記外装ケースに着脱自在に構成されてなることを特徴とするプロジェクタ用防塵ユニット。
【請求項４】
前記ユニットケースは、前記第２のフィルターおよび前記第３のフィルターをそれぞれ着脱自在に収納してなることを特徴とする請求項３記載のプロジェクタ用防塵ユニット。
【請求項５】
前記外装ケースには、プロジェクタを天吊りするための天吊り手段が設けられており、前記ユニットケースは、前記天吊り手段により前記外装ケースに着脱自在とされてなることを特徴とする請求項１乃至請求項４の何れかに記載のプロジェクタ用防塵ユニット。
【請求項６】
前記天吊り手段は、前記外装ケースにおける前記空気取入口の周囲に形成された複数のネジ穴と、該複数のネジ穴に螺合される複数の天吊り用ネジとで構成され、前記ユニットケースは、前記ネジ穴に対応する位置に取付孔を有し、前記複数の天吊り用ネジのそれぞれを前記ユニットケースに形成された前記複数の取付孔にそれぞれ挿通し、さらに前記複数のネジ穴に螺合することにより前記外装ケースに着脱自在とされてなることを特徴とする請求項５記載のプロジェクタ用防塵ユニット。
【請求項７】
前記外装ケースは略直方体形状を成しており、少なくとも１個以上備えられる前記第２のフィルターのうち、最初に空気が通過する第２のフィルターは、前記第１のフィルターよりも広面積に構成されてなることを特徴とする請求項１乃至請求項６の何れかに記載のプロジェクタ用防塵ユニット。
【請求項８】
外装ケースに形成された空気取入口に、ファンにより吸気された空気から塵埃等を除去するための第１のフィルターが設けられたプロジェクタであって、
請求項１乃至請求項７の何れかに記載のプロジェクタ用防塵ユニットを、前記外装ケースに着脱自在に装着したことを特徴とするプロジェクタ。
【発明の詳細な説明】
【０００１】
【発明の属する技術分野】
本発明はプロジェクタ用防塵ユニットおよびプロジェクタに関し、さらに詳しくは空気の汚れた場所でプロジェクタを使用する場合に用いて好適な技術に関する。
【０００２】
【従来の技術】
従来より、プロジェクタには液晶パネルを空冷するための吸気ファンが設けられており、また、吸気ファンにより吸気された空気から塵等を除去するためのフィルターが設けられている（例えば、特許文献１参照）。
【０００３】
【特許文献１】
特開平６−３４９２８号公報（第３頁〜４頁、図２）
【０００４】
【発明が解決しようとする課題】
プロジェクタの使用場所としては、会議室などが従来より一般的であるが、近年では多様な場所で使用されるようになってきた。例えば、コンビニエンスストアや、パチンコ店、カラオケ屋、駅構内などである。この種の場所は空気の汚れが激しいことから、この種の場所にプロジェクターを設置した場合、従来のフィルターだけでは塵埃等を十分に除去できず、塵埃等が装置内部に流入して画像に悪影響を与えてしまうという問題があった。また、フィルターが直ぐに目詰まりして頻繁に交換しなければならないという不都合があった。
【０００５】
また、フィルターが目詰まりすることにより内部冷却が不十分となって内部温度が上昇し、温度センサがこれを感知してプロジェクタがシャットダウンしてしまうという不都合もあった。
【０００６】
本発明はこのような点に鑑みなされたもので、空気が汚れた場所での使用に際しての各種の不都合を解消できるプロジェクタ用防塵ユニットおよびプロジェクタを提供することを目的とする。
【０００７】
【課題を解決するための手段】
本発明に係るプロジェクタ用防塵ユニットは、外部の空気を外装ケースの内部に取り入れる空気取入口に第１のフィルターが設けられたプロジェクタ用として用いられ、第１のフィルターの外側から空気取入口を覆うように装着される防塵ユニットであって、空気を内部に取り入れるための吸気口と排出するための排気口とを有し、排気口が空気取入口に対応する位置に形成されたユニットケースと、ユニットケース内に収納され、空気を吸気口からユニットケース内に吸気し、排気口から排気して、その排気空気を空気取入口に供給するためのファンと、ユニットケース内に収納され、ファンにより吸引された空気から塵埃を除去するための少なくとも１個以上の第２のフィルターとを備え、ユニットケースが、外装ケースに着脱自在に構成されてなるものである。
【０００８】
本発明によれば、空気が汚れた場所で使用する場合などの必要時にプロジェクターに取り付けられることにより、ファンにより吸気された汚れた空気から塵埃等を除去し、清浄化した空気をプロジェクターの空気取入口に供給することができる。よって、プロジェクターを空気が汚れた場所で使用する場合であっても、第１のフィルターが直ぐに目詰まりしてしまうのを防止でき、第１のフィルターの交換回数を低減することが可能となる。また、第１のフィルターの短時間での目詰まりを防ぐことが可能となるため、内部冷却不足による内部温度上昇に起因した意図しないプロジェクタのシャットダウンを防止することが可能となり、空気の汚れた場所に設置された場合であっても、プロジェクタを長時間に渡って安定して使用に供することが可能となる。さらに、空気取入口にフィルターが多重に取り付けられることになるため、防塵ユニット装着前に比べてプロジェクタ内部への塵埃等の侵入を確実に防止できる。その結果、プロジェクタを長時間安定した画質を保持した状態で使用することが可能となる。
【０００９】
また、本発明に係るプロジェクタ用防塵ユニットは、ユニットケースが、第２のフィルターを着脱自在に収納してなるものである。本発明によれば、必要に応じて第２のフィルターを交換または洗浄等を行うことが可能である。
【００１０】
また、本発明に係るプロジェクタ用防塵ユニットは、外部の空気を外装ケースの内部に取り入れる空気取入口に第１のフィルターが設けられたプロジェクタ用として用いられ、第１のフィルターの外側から空気取入口を覆うように装着される防塵ユニットであって、空気を内部に取り入れるための吸気口と排出するための排気口とを有し、排気口が空気取入口に対応する位置に形成されたユニットケースと、ユニットケース内に収納され、空気を吸気口からユニットケース内に吸気し、排気口から排気して、その排気空気を空気取入口に供給するためのファンと、ユニットケース内に収納され、ファンにより吸引された空気から塵埃を除去するための第２のフィルターと、ユニットケース内に収納され、第２のフィルターを通過した空気から更に塵埃等を除去するための第２のフィルターよりも目の細かい第３のフィルターとを備え、ユニットケースが、外装ケースに着脱自在に構成されてなるものである。
【００１１】
本発明によれば、空気が汚れた場所で使用する場合などの必要時にプロジェクターに取り付けられることにより、ファンにより吸気された汚れた空気から塵埃等を除去し、清浄化した空気をプロジェクターの空気取入口に供給することができる。よって、プロジェクターを空気が汚れた場所で使用する場合であっても、第１のフィルターが直ぐに目詰まりしてしまうのを防止でき、第１のフィルターの交換回数を低減することが可能となる。また、第１のフィルターの短時間での目詰まりを防ぐことが可能となるため、内部冷却不足による内部温度上昇に起因した意図しないプロジェクタのシャットダウンを防止することが可能となり、空気の汚れた場所に設置された場合であっても、プロジェクタを長時間に渡って安定して使用に供することが可能となる。さらに、空気取入口にフィルターが多重に取り付けられることになるため、防塵ユニット装着前に比べてプロジェクタ内部への塵埃等の侵入を確実に防止できる。その結果、プロジェクタを長時間安定した画質を保持した状態で使用することが可能となる。また、粗大な塵埃等を第２のフィルターで除去した後、この第２のフィルターよりも目の細かい第３のフィルターで微細な塵埃等を除去するようにしたので、目の異なる２つのフィルターによって多段階に効率的に塵埃等を除去することができると共に、防塵ユニット自身が目詰まり状態に至るまでの期間を長くすることができる。
【００１２】
また、本発明に係るプロジェクタ用防塵ユニットは、ユニットケースが、第２のフィルターおよび第３のフィルターをそれぞれ着脱自在に収納してなるものである。本発明によれば、必要に応じて第２のフィルターおよび第３のフィルターをそれぞれ交換または洗浄等を行うことが可能である。
【００１３】
また、本発明に係るプロジェクタ用防塵ユニットは、外装ケースには、プロジェクタを天吊りするための天吊り手段が設けられており、ユニットケースは、天吊り手段により外装ケースに着脱自在とされてなるものである。本発明によれば、天吊り手段によりユニットケースを外装ケースに着脱自在とすることができる。
【００１４】
また、本発明に係るプロジェクタ用防塵ユニットは、天吊り手段は、外装ケースにおける空気取入口の周囲に形成された複数のネジ穴と、複数のネジ穴に螺合される複数の天吊り用ネジとで構成され、ユニットケースは、ネジ穴に対応する位置に取付孔を有し、複数の天吊り用ネジのそれぞれをユニットケースに形成された複数の取付孔にそれぞれ挿通し、さらに複数のネジ穴に螺合することにより外装ケースに着脱自在とされてなるものである。本発明によれば、天吊り用ネジとネジ穴との螺合により外装ケースに簡単に着脱自在に取り付けることができる。
【００１５】
また、本発明に係るプロジェクタ用防塵ユニットは、外装ケースが略直方体形状を成しており、少なくとも１個以上備えられる第２のフィルターのうち、最初に空気が通過する第２のフィルターは、第１のフィルターよりも広面積に構成されてなるものである。本発明によれば、第２のフィルターが、第１のフィルターよりも広面積であるため、第２のフィルタを長期間に渡って使用することができ、結果として第１のフィルターの使用期間も長期化でき、第１及び第２のフィルター両方の交換回数を低減することが可能となる。
【００１６】
本発明に係るプロジェクタは、外装ケースに形成された空気取入口に、ファンにより吸気された空気から塵埃等を除去するための第１のフィルターが設けられたプロジェクタであって、上記の何れかのプロジェクタ用防塵ユニットを、外装ケースに着脱自在に装着したものである。本発明によれば、空気の汚れた場所に設置された場合の各種の不都合を解消できる優れたプロジェクタを得ることができる。
【００１７】
【発明の実施の形態】
実施の形態１．
図１は、本発明の防塵ユニットが取り付けられるプロジェクタの外観を示す図である。本例のプロジェクタ１の外装ケース２は直方体形状をしている。この外装ケース２は、基本的には、アッパーケース３と、ロアーケース４と、装置前面を規定しているフロントケース５から構成されている。そして、フロントケース５の中央からは投写レンズユニット６の先端側の部分が突出している。
【００１８】
図２は、プロジェクタの外装ケースの内部における各構成部分の配置を示す図である。この図に示すように、外装ケース２の内部において、その後端側には電源ユニット７が配置されている。これよりも装置前側に隣接した位置には、光源ランプユニット８および光学ユニット９が配置されている。さらに、光学ユニット９の前側の中央には、投写レンズユニット６の基端側が位置している。
【００１９】
一方、光学ユニット９の一方の側には、装置前後方向に向けて入出力インタフェース回路が搭載されたインタフェース基板１１が配置され、これに平行に、ビデオ信号処理回路が搭載されたビデオ基板１２が配置されている。さらに、光源ランプユニット８および光学ユニット９の上側には、装置駆動制御用の制御基板１３が配置され、装置前端側の左右の角には、それぞれスピーカ１４Ｒ，１４Ｌが配置されている。
【００２０】
光学ユニット９の上方及び下方には装置内部冷却用の吸気ファン１５が配置されている。また、光源ランプユニット８の裏面側である装置側面には排気ファン１６が配置されている。そして、電源ユニット７における基板１１，１２の端に面する位置には、アッパーケース３に設けられた通気口１８からの冷却用空気流を電源ユニット７内に吸引するための補助冷却ファン１７が配置されている。
【００２１】
これらのファンのうち、ファン１５は、主に、後述する液晶パネル４０Ｒ，４０Ｇ，４０Ｂ冷却用のファンとして機能している。ファン１５に対向するロアーケース４の位置には、フィルター交換蓋７０で覆われた空気取入口７１が形成されている。このフィルター交換蓋７０には外部から取り入れた空気を装置内部へ冷却空気として導入するための複数の開口７２が形成され、このフィルター交換蓋７０の内側には、ファン１５により吸気された空気から塵埃を除去するための第１のフィルター７３が設けられている。この第１のフィルター７３としてはここではウレタンスポンジが用いられているが、これに限られたものではない。このフィルター交換蓋７０をロアーケース４の底面側から着脱することで内部の第１のフィルター７３を交換することが可能となっている。そして、この第１のフィルター７３の外側に、空気取入口７１を覆うように本発明の後述の図４に示す防塵ユニット（図２中には図示せず）が取り付けられる。
【００２２】
以下、図３に基づき光学ユニット９および光学系の構成について説明する。
【００２３】
図３（Ａ）には、光学ユニット９の部分を示してある。この図に示すように、光学ユニット９は、その色合成手段を構成しているプリズムユニット２０以外の光学素子が上下のライトガイド９０１，９０２の間に上下から挟まれて保持された構成となっている。上ライトガイド９０１および下ライトガイド９０２は、それぞれ、アッパーケース３およびロアーケース４の側に固定ねじにより固定されている。また、これらの上下のライトガイド９０１，９０２は、プリズムユニット２０の側に同じく固定ねじによって固定されている。
【００２４】
プリズムユニット２０は、ダイキャスト板である厚手のヘッド板３０の裏面に固定ねじによって固定されている。このヘッド板３０の前面には、投写手段としての投写レンズユニット６の基端側が同じく固定ねじによって固定されている。したがって、本例では、ヘッド板３０を挟み、プリズムユニット２０と投写レンズユニット６とが一体となるように固定された構造となっている。
【００２５】
図３（Ｂ）には、プロジェクタ１に組み込まれている光学系の概略構成を示してある。本例の光学系は、光源ランプ８０５と、均一照明光学素子であるインテグレータレンズ９２１，９２２を有する均一照明光学系９２３と、この照明光学系９２３から出射される光束Ｗを、赤、緑、青の各色光束Ｒ、Ｇ、Ｂに分離する色分離光学系９２４と、各色光束を変調する電気光学装置としての３枚の液晶パネル４０Ｒ，４０Ｇ，４０Ｂと、変調された色光束を合成する色合成光学系としてのプリズム合成体２２と、合成された光束を投写面上に拡大投写する投写レンズユニット６とから構成される。また、色分離光学系９２４によって分離された各色光束のうち、青色光束Ｂを対応する液晶パネル４０Ｂに導くリレー光学系９２７を有している。
【００２６】
均一照明光学系９２３は、さらに、反射ミラー９３１を備えており、光源ランプ８０５からの出射光の光軸１ａを装置前方向に向けて直角に折り曲げるようにしている。このミラー９３１を挟み、インテグレータレンズ９２１，９２２が前後に直交する状態に配置されている。
【００２７】
色分離光学系９２４は、青緑反射ダイクロイックミラー９４１と、緑反射ダイクロイックミラー９４２と、反射ミラー９４３から構成される。まず、青緑反射ダイクロイックミラー９４１において、均一照明光学系９２３を通った光束Ｗのうち、そこに含まれている青色光束Ｂおよび緑色光束Ｇが直角に反射されて、緑反射ダイクロイックミラー９４２の側に向かう。赤色光束Ｒは、このミラー９４１を通過して、後方の反射ミラー９４３で直角に反射されて、赤色光束の出射部９４４から色合成光学系の側に出射される。次に、緑反射ダイクロイックミラー９４２において、ミラー９４１において反射された青および緑の光束Ｂ、Ｇのうち、緑色光束Ｇのみが直角に反射されて、緑色光束の出射部９４５から色合成光学系の側に出射される。このミラー９４２を通過した青色光束Ｂは、青色光束の出射部９４６からリレー光学系９２７の側に出射される。本例では、均一照明光学素子の光束の出射部から、色分離光学系９２４における各色光束の出射部９４４，９４５，９４６までの距離が全てほぼ等しくなるように設定されている。
【００２８】
色分離光学系９２４の赤色光束及び緑色光束の出射部９４４，９４５の出射側には、それぞれ集光レンズ９５１，９５２が配置されている。したがって、各出射部から出射した赤色光束及び緑色光束は、これらの集光レンズ９５１，９５２に入射して平行化される。
【００２９】
平行化された赤色および緑色の光束Ｒ、Ｇは、偏光板６０Ｒ，６０Ｇによって偏光方向が揃えられた後、液晶パネル４０Ｒ，４０Ｇに入射して変調され、各色光に対応した画像情報が付加される。すなわち、これらの液晶パネル４０Ｒ，４０Ｇは、図示していない駆動手段によって画像情報に対応する画像信号によってスイッチング制御され、これにより、ここを通過する各色光の変調が行われる。このような駆動手段は、公知の手段をそのまま使用することができる。
【００３０】
一方、青色光束Ｂは、リレー光学系９２７を介し、さらに、偏光板６０Ｂによって偏光方向が揃えられた後、対応する液晶パネル４０Ｂに導かれて、ここにおいて、同様に画像情報に応じて変調が施される。尚、本例の液晶パネル４０Ｒ，４０Ｇ，４０Ｂは、例えば、ポリシリコンＴＦＴをスイッチング素子として用いたものを使用できる。
【００３１】
リレー光学系９２７は、集光レンズ９７４と入射側反射ミラー９７１と、出射側反射ミラー９７２と、これらのミラー間に配置した中間レンズ９７３と、液晶パネル４０Ｂの手前側に配置した集光レンズ９５３から構成される。各色光束の光路の長さ、すなわち、光源ランプ８０５から各液晶パネルまでの距離は、青色光束Ｂが最も長くなり、したがって、この光束の光量損失が最も多くなる。しかし、リレー光学系９２７を介在させることにより、光量損失を抑制できる。
【００３２】
各液晶パネル４０Ｒ，４０Ｇ，４０Ｂを通って変調された各色光束は、偏光板６１Ｒ，６１Ｇ，６１Ｂに入射し、これを透過した光がプリズム合成体２２に入射され、ここで合成される。本例では、ダイクロイックプリズムからなるプリズム合成体２２を用いて色合成光学系を構成している。ここで合成されたカラー画像は、投写レンズユニット６を介して、所定の位置にある投写面１０上に拡大投写される。
【００３３】
次に本発明の特徴部分である防塵ユニット８０に関して説明する。
【００３４】
図４は本発明の一実施の形態の防塵ユニット８０の取付状態を示す斜視図である。図５は図４の防塵ユニット８０を示す概略図で、（Ａ）は概略平面図、（Ｂ）は概略断面図である。また、図６は、防塵ユニット８０を取り付ける前のロアーケース４を底面側から見た斜視図である。
防塵ユニット８０は、プロジェクタ１を空気が汚れた場所で使用する場合などの必要時に、従来から空気取入口７１に備えられている第１のフィルター７３に加えて更に取り付けられるもので、第１のフィルター７３の外側から空気取入口７１を覆うようにロアーケース４に装着されるものである。また、空気の汚れが激しくない場所で使用する場合などの不要時には、ロアーケース４から取り外しができるように着脱自在に構成されるもので、その構成については以下に詳述する。
【００３５】
ここで、防塵ユニット８０が装着されるロアーケース４には、プロジェクタ１を天井から吊り下げた形態で使用するための天吊り手段が設けられている。この天吊り手段は、図６に示すように、空気取入口７１の周囲、更に詳しくはロアーケース４における四隅の角部に設けられた挿通孔９１の奥側（装置内部側）に設けられたネジ穴（図示せず）と、このネジ穴に螺合される複数（ここでは４個）の天吊り用ネジ９０とで構成されている。天吊り使用時には、プロジェクター側ブラケット（図示せず）を天吊り手段によりロアーケース４に固定し、プロジェクター側ブラケット（図示せず）を、天井側に固定した天井側ブラケット（図示せず）に装着することによりプロジェクタ１が天吊りされる。一方、机上での使用時には、各天吊り用ネジ９０はそれぞれ対応の各挿通孔９１を挿通し、ロアーケース４において挿通孔９１の奥側（装置内部側）に設けられたネジ穴（図示せず）に直接螺合された図５に示す状態のままで保持されている。実施の形態のプロジェクタ１においては、この天吊り手段を利用して防塵ユニット８０がロアーケース４に着脱自在に装着されている。なお、この着脱自在とする構成としては、天吊り手段を利用した構成に限られたものではなく、着脱可能な構成であれば、本発明の実施の形態に含まれるものとする。
【００３６】
防塵ユニット８０は、図５に示すように略矩形状の筐体８１と、該筐体８１の開口面に着脱自在に固定された蓋体８２とを有する金属製のユニットケース８３を備え、このユニットケース８３内に少なくとも１個のフィルタ（第２のフィルター）８４と、ユニットケース８３内に空気を吸引するファン８５とが収納された構成となっている。なお、図５に示す本実施の形態の防塵ユニット８０では、２個のフィルタを備えた場合を例示しており、外部の空気をファン８５により吸気し、吸気される空気に対して上流側のフィルタ（以下ではプレフィルターと呼ぶ）８４により粗大な塵埃等を除去し、プレフィルター８４よりも目の細かい下流側のフィルタ（以下ではメインフィルターと呼ぶ）８６で微細な塵埃等を除去するように構成されている。なお、ここでは２個のフィルターを用い、その各フィルターに互いに目の異なるフィルターを用いるとしているが、本発明の防塵ユニットはこの構成に限られたものではなく、少なくとも１個以上のフィルターとファンとを備えていればよい。また、ここではユニットケース８３を金属製としたがこれに限られたものではない。
【００３７】
ユニットケース８３において、蓋体８２には吸気口８２ａが形成され、筐体８１には、防塵ユニット８０がロアーケース４に装着された際に空気取入口７１に対向する位置に排気口８１ａが形成されている。
【００３８】
ファン８５は、外部の空気を吸気口８２ａからユニットケース８３内に吸気し、排気口８１ａから排気して、その排気空気を空気取入口７１に供給するためのもので、その空気の流路内にプレフィルター８４とメインフィルター８６とが配置され、これらプレフィルター８４とメインフィルター８６によって清浄化された排気空気が空気取入口７１に供給されるようになっている。
【００３９】
ユニットケース８３の筐体８１内には固定枠８７が固着されており、この固定枠８７の内側開口部分に２段の段差８７ａ、８７ｂが構成されている。プレフィルター８４およびファン８５は、この段差８７ａ、８７ｂ部分にそれぞれ位置決めされて着脱自在に固着されている。また、固定枠８７において、筐体８１の底面に接する部分の内周は排気口８１ａの外形よりも大きく形成されており、筐体８１の底面との接触部分によってもう１つの段差８７ｃが形成されている。この段差８７ｃ部分にメインフィルター８６が位置決めされて着脱自在に固着されている。
【００４０】
また、筐体８１には、その底面の対向する２辺（図５では左右端辺）から外方に延びる鍔部８８が形成されており、鍔部８８には、ロアーケース４の四隅の角部に設けられた複数の挿通孔（図示せず）に対応する複数箇所（ここでは４箇所）に天吊り用ネジ９０（図４、図６参照）が挿通される取付孔８９が穿設されている。
【００４１】
なお、ユニットケース８３には、ここでは金属製のものを用いているがこれに限られたものではない。また、図５の防塵ユニット８０では、２個のフィルターを設けた場合を例示しているが、本発明の特徴部分である防塵ユニット８０は上述したように少なくとも１個以上のフィルターとファンとを備えたもので、フィルターの数は２個に限定されたものではない。
【００４２】
ここで、この防塵ユニット８０は、空気が汚れた場所等でプロジェクタ１を使用する際に用いられることから、防塵ユニット８０内に備えられるプレフィルター８４およびメインフィルター８６は、急速な目詰まり防止および交換頻度の低減の観点から広面積で構成されることが望ましい。特に、汚れた空気が最初に通過することとなるプレフィルター８４の面積は、広ければ広いほど望ましいが、少なくとも第１のフィルター７３よりも広面積とされる。
【００４３】
このように構成された防塵ユニット８０は、以下のようにしてロアーケース４に取り付けられている。すなわち、各天吊り用ネジ９０を各取付孔８９にそれぞれ挿通し、ロアーケース４に設けられている挿通孔（図示せず）の奥側（装置内部側）に設けられた図示しないネジ穴に螺合する。これにより防塵ユニット８０は、図４に示すように空気取入口７１を覆うようにロアーケース４に着脱自在に取り付けられる。
【００４４】
そして、空気が汚れた場所で使用するに際し、防塵ユニット８０を上記手順でロアーケース４に取り付け、その状態で防塵ユニット８０のファン８５を稼働させると、吸気された汚れた空気は、防塵ユニット８０の蓋体８２の吸気口８２ａを介して筐体８１内に取り込まれ、まずプレフィルター８４を通過し、ここで粗大な塵埃等が除去されて清浄化される。ついで、メインフィルター８６を通過し、ここで微細な塵埃等が除去されて更に清浄化され、排気口８１ａから排気される。防塵ユニット８０の排気口８１ａからの排気された清浄な排気空気は、第１のフィルター７３（図２参照）を介して空気取入口７１に供給され、空気取入口７１から装置内部に流入する。このように、汚れた空気が第１のフィルター７３を通過する前に防塵ユニット８０を通過させるようにしたため、空気が汚れた場所で使用する場合であっても、第１のフィルター７３が直ぐに目詰まりするのを防止でき、よって、第１のフィルター７３の交換回数を低減することが可能となる。
【００４５】
なお、防塵ユニット８０のプレフィルター８４は、第１のフィルター７３に比べて広面積に構成されているため、短時間で目詰まりすることなく、長期間に渡って使用可能となっている。
【００４６】
このように第１のフィルター７３の短時間での目詰まりを防ぐことが可能となるため、内部冷却不足による内部温度上昇に起因した意図しないプロジェクタ１のシャットダウンを防止することが可能となり、プロジェクタが空気の汚れた場所に設置された場合であっても、長時間に渡って安定して使用に供することが可能となる。
【００４７】
また、防塵ユニット８０によって、空気取入口７１にはフィルターが多重に取り付けられることになるため、防塵ユニット８０装着前に比べてプロジェクタ１内部への塵埃等の侵入を確実に防止できる。その結果、プロジェクタ１を長時間安定した画質を保持した状態で使用することが可能となる。
【００４８】
なお、本実施の形態の防塵ユニット８０では、粗大な塵埃等をプレフィルター８４で除去した後、プレフィルター８４よりも目の細かいメインフィルター８６で微細な塵埃等を除去するようにしたので、目の異なる２つのフィルターによって多段階に効率的に塵埃等を除去することができると共に、防塵ユニット８０自身が目詰まり状態に至るまでの期間を長くすることができる。
【００４９】
また、プレフィルター８４およびメインフィルター８６は、それぞれ筐体８１に着脱自在となっているため、必要に応じて交換または洗浄等を行うことが可能である。
【００５０】
また、本発明の防塵ユニット８０は、図３に示した構成の液晶プロジェクタへの適用に限られたものではなく、ＤＬＰ（ディジタル・ライト・プロセシング）を用いたプロジェクタ、３管式プロジェクタ等にも装着可能である。
【図面の簡単な説明】
【図１】本発明のプロジェクタの外観を示す図。
【図２】図１の外装ケースの内部における各構成部分の配置を示す図。
【図３】（Ａ）光学レンズユニットと投写レンズユニットの部分を取り出して示す図。（Ｂ）光学系の概略構成図。
【図４】防塵ユニットの取付状態を示す斜視図。
【図５】図４の防塵ユニットを示す概略図。
【図６】防塵ユニット取付前のロアーケースの底面側斜視図。
【符号の説明】
１  プロジェクタ、２  外装ケース、４  ロアーケース、７１  空気取入口、７３  第１のフィルター、８０  防塵ユニット、８１ａ  排気口、８２ａ  吸気口、８３  ユニットケース、８４  プレフィルター（第２のフィルター）、８５ファン、８６  メインフィルター（第３のフィルター）、８９  取付孔、９０
天吊り用ネジ
【図１】
2004170745.tif 000003
【図２】
2004170745.tif 000004
【図３】
2004170745.tif 000005
【図４】
2004170745.tif 000006
【図５】
2004170745.tif 000007
【図６】
2004170745.tif 000008